(57)【要約】【課題】競馬場から出場を除外された退競馬群と、飼育牧場から競走馬には不向きと判定された不適馬群とを、これらを単なる馬として保護する退競馬保護センターと、全国に散在する農業を放棄された農地を集めた放置農場群とからなる社会構成において、これら馬を放置農場に放牧のために移送する仕組みを構築する。【解決手段】退競馬保護センターには、単なる馬の固別特性をそれぞれ記憶する馬データベースと各放置農場の固有特性をそれぞれ記憶する放置農場群データベースと知的判断データとプログラムと制御装置とを設ける。  制御装置は、退競馬保護センターが保護する馬数と、放置農場群データベース中にある放置農場群の各面積とをプログラムを使用して比較する。これら馬の放牧に要する面積が適合する放置農場を放置農場群から特定し、退競馬保護センターからこれら馬を特定された放置農場に移送して放牧する。退競馬群及び不適馬群を放置農園群に定期的に移送し放牧することにより牧畜性に戻し、同時に放置農園の活用を図る。【選択図】図２
2020087391.tif 000002
【特許請求の範囲】
【請求項１】
競馬場と、この競馬場向けの馬を飼育する飼育牧場と、この競馬場から出場を除外された退競馬群と、前記飼育牧場から競走馬には不向きと判定された不適馬群とを、これらを単なる馬として保護する退競馬保護センターと、全国に散在する農業を放棄された農地を集めた放置農場群とからなる社会構成において、
前記退競馬保護センターには、前記単なる馬の固別特性をそれぞれ記憶する馬データベースと各放置農場の固有特性をそれぞれ記憶する放置農場群データベースと知的判断データとプログラムと制御装置とを設け、
前記制御装置は前記退競馬保護センターが保護する馬数と、前記放置農場群データベース中にある放置農場群の各面積とを前記プログラムを使用して比較し、これら馬の放牧に要する面積が適合する放置農場を前記放置農場群から特定し、前記退競馬保護センターからこれら馬を特定された前記放置農場に放牧のために移送するようにして、前記退競馬群及び前記不適馬群を前記放置農園群に定期的に移送するようにしたことを特徴とする競馬場から外された退競馬と放置農園群とのマッチングを図る競馬環境事業システム。
【発明の詳細な説明】
【技術分野】
【０００１】  本発明は、競走馬としては不適合として競馬場から外された退競馬及び競走馬としての成育が不可能とされた育成途上の除外馬とを、全国に存在する放置農園群とのマッチングを具体的に実現させるための競馬環境事業システムに関するものである。
【背景技術】
【０００２】従来の競馬環境事業に関する現況を説明する。
競馬場向けの競走馬は北海道や九州にある飼育牧場で、受精され受胎され母馬から生まれて、牧場では仔馬時代から大切に育てられ、初期訓練を受けてほぼ成馬にまで飼育される。
飼育牧場を出た後に、本格的な競走馬に成長するように調教拠点（茨城県美浦トレーニングセンター等）で訓練を受けて、基本的な競馬教育を修了して、各地の競馬場に配置され競技に出場する。【０００３】  図６において、競走馬としては不適合として競馬場１０から外された退競馬と、飼育牧場２０で競走馬としての育成が不可能とされた生育途上の除外馬とは、退競馬保護センター４０に送られる。またそこには、外国の競馬場例えばＵＳＡ等から競走馬としては不適合として馬肉用に商社３０により輸入された退競馬も退競馬保護センター４０に送られる。
退競馬保護センター４０に集められたこれらの退競馬の殆んどが、ほぼ２，３日後に食肉用に屠殺場８０に送くられている。【０００４】  退競馬と除外馬及び輸入された退競馬を、このように事務的に食肉用に屠殺場８０に送くることが、一般市民から余りに経済効率第一主義であると、冷たい目で見られている。
また動物愛護団体からは、馬が可哀想だとの意見があり、西洋諸国からはもっと強い批判の目が向けられている。【０００５】  日本競馬会ＪＲＡによると、屠殺場８０に送くられる退競馬と除外馬及び馬輸入された退競馬が毎年約１，２万頭あるという。
高価な馬であるため、食肉用として屠殺場８０に送くらないわけにはいかないが、何かの方法で一般市民からある程度納得できる仕組みがないか問われていた。【０００６】  退競馬保護センター４０から退競馬が、即屠殺場行を思い出すことで、一般市民には心苦しいものがある、特にやや大型犬を飼ったことのある人は、退競馬の即屠殺場行きを思い浮かべるだけで悲しい思いを抱いている。
一般人で馬肉を食しない且ついかなるペットも飼わない人でさえ少し惨いことだと思う。国内の動物愛護団体の人々は退競馬の即屠殺場行きを快く思っていない。【０００７】また退競馬には直前まで、競走馬で活躍していた馬もあり、筋肉強化剤を飲まされたり注射された場合がある。このような退競馬体内には筋肉強化剤がまだ残留しており、食肉には不向きである。残留している筋肉強化剤を体外に排出するには半年から１年ほど生かしておく必要がある。そのための牧場が必要であった。
馬は大きい動物で高価だから公然と大きな声で、異論を吐くことができないが、心底ではよく思われていない。【０００８】しかし動物愛が文化的に精神的に発達したＥＵ各国の人々と米国人は、日本に於ける退競馬や不適馬の保護期間が短く、その後即屠殺場行きに対して批判の意識が高い。退競馬や不適馬に対する命をまっとうするまでの何らかのケアが必要との認識が高まっている。【０００９】現在反捕鯨運動のようなものにはなっていないが、国際舞台で、批判の声が高まる恐れがある。退競馬や不適馬たちにとっても、一般国民にとってもある程度慰めとなる対処方法がないものか、関係者は思案にくれている現状である。
またＥＵ諸国からの批判をかわせる方法がないか課題となっている。今回発明・提案は以上の状況へ、ある程度の対処方法・回答になるものである。【００１０】  一方では、国内の放置農園問題は、農業従事への若者の減少と高齢による農業離れに起因している。農地の荒れ放題と、相続人への負担増加とが社会問題化している。
そこで電子・電機系の巨大企業が、大型の太陽光発電施設を放置農園に造って幾らかの活用は実現されている。【００１１】  また食糧供給企業が広い建屋形式の食物工場を放置農園に建設し、水と光線を電子制御して、野菜・瓜・トマト等を均質・安定供給できる、植物工場生産を行っている。
しかしながら、太陽光発電の設置や、大量均質植物工場生産方式も限界に達しており、その後の放置農園の活用展望はそれほど期待されたようには発展していない。【００１２】  単なる太陽光発電の敷地としてではなく、また高額投資に基づく精食物工場や電子制御による栽培方式でない、緩やかな方法による放置農場の活用が望まれている。
一方競馬業界が持つ余剰資本力と、資材力となる多数の退競馬や不適馬とに加え、他方水と草木等の地力を持つ放置農園を組み合わせる複合システムが期待されていた。本発明はこれらの問題点を一挙に解決するものである、
【先行技術文献】
【００１３】
【特許文献】
【特許文献】無し
【非特許文献】
【非特許文献】無し
【発明の概要】
【発明が解決しようとする課題】
【００１４】解決しようとする問題点は、競争馬から外された退競馬や不適馬を食肉用として屠殺場に送くらないわけにはいかないが、何らかの方法で一般市民からある程度納得が得られる仕組を構築する。残留している筋肉強化剤を体外に排出するには半年から１年ほど生かしておく必要がある。そのための牧場が必要である。
動物愛護団体が抱く馬が可哀想だとの強い意見を緩和する方法を提供する、ＥＵ諸国から受ける強い批判の目を和らげる対処方法を確立する。
【課題を解決するための手段】
【００１５】  この発明は退競馬と放置農園群との間のマッチングシステムである。競馬場と、この競馬場向けの馬を飼育する飼育牧場と、この競馬場から出場を除外された退競馬群と、前記飼育牧場から競走馬には不向きと判定された不適馬群とを、これらを単なる馬として保護する退競馬保護センターと、全国に散在する農業を放棄された農地を集めた放置農場群とからなる社会構成を活用する。【００１６】  前記退競馬保護センターには、前記単なる馬の固別特性をそれぞれ記憶する馬データベースと各放置農場の固有特性をそれぞれ記憶する放置農場群データベースと知的判断データとプログラムと制御装置とを設ける。【００１７】  前記制御装置は前記退競馬保護センターが保護する馬数と、前記放置農場群データベース中にある放置農場群の各面積を前記プログラムを使用して比較し、これら馬の放牧に要する面積が適合する放置農場を前記放置農場群から特定する。
前記退競馬保護センターからこれら馬を特定された前記放置農場に放牧のために移送するようにし、前記退競馬群及び前記不適馬群を前記放置農園群に定期的に移送するようにする。
【発明の効果】
【００１８】退競馬保護センターに保護された退競馬と不適馬及び輸入された退競馬とを国内に多数存在する放置農場に送り、長期間放牧する。残留している筋肉強化剤等を体外に排出することができ、肉食材としても健康的である。
放牧期間中にこれらの馬はほぼ野生に還り、一般の牛豚のような家畜になり、その後肉食用に供されても一般国民に与える心理負担が大幅に軽減される。【００１９】また放牧期間中に、乗馬クラブからの譲受申し込みが多く有り得るので、退競馬と不適馬にとって寿命を延ばすことになる。
これにより国外の動物保護団に対しても説明がけきるし、批判を和らげることができる。【００２０】全国に散在する多くの放置農場は、荒地したり、相続人には維持の負担が重く生活は圧迫している。退競馬群と不適馬群を放牧することで、放置農場の活用になり、放置農場相続人の維持経費負担の解消に貢献できる。
【図面の簡単な説明】
【００２１】
【図１】  本発明による退競馬と放置農園群とのマッチングを図る全体構成図。
【図２】  本発明による退競馬保護センターの構成及び放置農園群との間系を示す図。
【図３】  本発明による一の放置農園に設けられる農地データベースの詳細と制御装置との関係を示す図。
【図４】  本発明による退競馬保護センターに受信集合された放置農園群の農地データベースの詳細を示す図。
【図５】  図２の退競馬のデータベースの個々の退競馬の特性の詳細を示す図。
【図６】  従来の退競馬保護センター保護される退競馬のその後の移送を示す図。
【発明を実施するための形態】
【００２２】本発明の実施例において添付図面を参照して、退競馬と放置農園群とのマッチングを図るシステムを説明する。
図１に図示すように退競馬と放置農園群とのマッチングシステムは、競馬場１０、飼育牧場２０、輸入商社３０、退競馬保護センター４０、放置農園５０、活用施設６０，食肉調達施設７０から構成されている。
【００２３】  退競馬保護センター４０には、競馬場１０から出場を除外された元競走馬の退競馬群と、飼育牧場５０から競馬に適合しないとされた不適馬群と、外国例えばＵＳＡの競馬場から除外されて商社３０により輸入された退競馬群とが数多く短期間保護されている。
【００２４】  競馬場１０からは、老齢による体力劣化や、競技中の事故・怪我による成績不良や、馬主の退場請求等により、退競馬群が発生する。
飼育牧場５０では飼育中の馬を、定期的に成長途上で体型等を競馬規格体型と照合して競走馬としての適正かどうかが判断される。
【００２５】  その際に何らかの不適合・不適性が見つかると不適馬として扱い、競走馬飼育コースから除外して不適馬群が発生する。
同様なことが外国例えばＵＳＡの競馬場や飼育牧場でも行われて、国外からも多数の退競馬群と不適馬群が輸入されている。
このようにして無視できない数の退競馬と不適馬とが退競馬保護センター３０に保護される。
【００２６】一方放置農園群５０は、現代日本の農業従事者の高齢化と労働者が農業以外の職業に就労し、農家の子弟が親の農業を引き継ぐことが少ない事に由来して、全国的に毎年増加傾向で発生している。
【００２７】放置農園群５０の活用として、食料供給企業による野菜や果物の集積・高度集中生産基地化も徐々に行われており、また最近では大型太陽光発電施設の設置地として利用されているが、放置農園群５０を利用尽くす程には双方とも再活用量域には至っていない。
【００２８】図２に於いて退競馬保護センター４０には、退競馬及び不適馬の馬主データを含む馬データベース１１と放置農園群５０に関する農園データベース５１と、知的判断データ４３と、プログラム４５と、計算機・ＣＰＵ等からなる制御装置４２とを備えている。制御装置４２には時計４１と計算用メモリＲＡＭ４４とが接続され、通信回線２５を介して外部のインターネットと交信可能である。
遠隔地にある競馬場１０及び飼育牧場２０は必要に応じてインターネット等の通信回線２５を介して退競馬保護センター４０の制御装置４２と交信可能である。
【００２９】  知的判断データ４３は、退競馬数とこれらを放牧可能な農園面積との対応表が記録されている。馬数とこれらを放牧可能な農園面積とは、牧場経営者の経験及び当該土地の気象との関係で、長年に蓄積された知識に基づいて作成されている。
【００３０】  プログラム４５は、制御装置４２が時計４１から日時と経過時間日数を受信して、所定期間毎に各種ロジック演算や数値計算をメモリＲＡＭ４４上で実行させる手順を記録する。
まず、馬データベース１１について図５を参照して詳しく説明する。
【００３１】  退競馬１頭ごとに詳しいデータがあり、馬固有番号：ｈｋ３０１、馬主の住所氏名・連絡先電話・当該馬の価格等が記録されている。
データ欄には、価格：１５０万円、所有者名：林一郎、住所電話、馬の年齢：３歳、性別：オス、体重：３００Ｋｇ、馬高：２００ｃｍ、毛色：茶色、馬種：サラブレット等がある。
【００３２】  更に、馬データベース１１には、その他の属性：気性短気、飼育牧場：日高、怪我歴：札幌競馬場・右前足骨折、移送先農園：細川農園・芦別市、処理場：晴美屠殺場、施設：美穂研究所・病理・薬品開発、成績：有馬準優勝等の欄がある。
【００３３】  移送先農園の欄が空白であれば、「未定」もあり、後日移送先が決まれば、例示のように「細川農園」等が記録される。
図２、図５の馬データベース１１は各退競馬を集合して、馬固有番号がｈｋ３０１からｈｋ３０２、ｈｋ３０３・・・ｈｋ３０ｗまで多数存在する。
【００３４】放置農園データベース５１について図２、図３、図４を参照して詳しく説明する。
放置農園群５０は全国に散在し、規模が１万坪から数万坪のそれぞれ纏まった農地が放置されている。退競馬保護センター３０から隔地にある放置農園群５０の各所有者はインターネット等の通信回線２５を介して退競馬保護センター４０の制御装置４２にアクセス・応募する。
【００３５】図３に於いて、放置農園群５０中の一の所有者：海次郎は、制御装置ＣＰＵ５３により自己の農園データ５２の内容を、通信回線２５を介して退競馬保護センター４０の制御装置４２に送信する。
【００３６】農園データ５２には、放置農園毎に関する詳しいデータがあり、農園主の住所氏名・連絡先電話・当該土地の面積（平方メートル）等が記録されている。
図３の地主毎の農園データ５２の内容を集積したものが図４の放置農園データベース５１となる。
【００３７】そこで、図２に於ける放置農園データベース５１の内容を図４で詳しく説明する。
土地有番号：ｊｍ０１、所有者名：海  太朗：住所電話・東京都港区、所在番地：北海道・芦別市、謄本画像、地図画像、衛星画像、価格：６，０００万円、リース価格：１５０万円／年等の欄がある。
【００３８】  更に、放置農園データ５２には、該当土地内の地目別欄の原野：８０，０００、畑：７０，０００、田：９０，０００、池：７，０００、及び交通路：国道５０５号，経過記録欄が設けられている。
【００３９】  図４において、図２の放置農園データベース５１は農園毎に、ｊｍ０１からｊｍ０２、ｊｍ０３・・・ｊｍ０ｗと多数存在する。
放置農園毎の詳しいデータ５２が多数集合されて、図２と図４の放置農園データベース５１が構成される。
馬主データや活用施設データや食肉施設データは本発明とは直接関係しないので、説明は省略する。
【００４０】図２に於いて、退競馬保護センター４０の制御装置４２が、時計４１と計算用メモリＲＡＭ４４と知的判断基準データ４３とを使用して、プログラム４５に従って、退競馬と放置農園群とのマッチングを実現する方法について説明する。
【００４１】制御装置４２は時計４１から実際の日時データを受けて、所定期間毎に図５の馬データの集計を計測する。馬データベース１１中で移送先農園欄が未定になっている馬固有番号、例えばｈｋ３０ｍ等の複数の退競馬のデータを集計して、いまだ退競馬保護センター４０に保護されている退競馬数を集計する。
次にプログラム４５は放置農園データベース５１の中から、これら退競馬数を放牧可能な面積を有する放置農園を特定する。
【００４２】  そこで、退競馬保護センター４０の担当者は制御装置４２により特定：選定した例えば固有番号ｊｍ０ｎ放置農園の所有者に向けて、退競馬の頭数を指定して、放牧受け入れが可能かどうかをインターネット等の通信回線２を介して問い合わせる。この間実際には当該所有者が判断して決心するのに多少日数がかかることもある。
【００４３】  当該放置農園が放牧を受け入れた場合、担当者は図４の当該放置農園の放置農園データベース５１内の固有番号ｊｍ０ｎ放置農園の経過記録欄に、例えば契約日１１月１３日と頭数２０頭と期間１年間とを記録する。
【００４４】  また選定されたｊｍ０ｎ放置農園５０の当該所有者は、図３に示す自己の放置農園データ５２に、同様に経過記録欄に、例えば契約日１１月１３日と頭数２０頭と期間１年間とを記録する。
【００４５】  退競馬保護センター４０から保護されている退競馬と不適馬の頭数例えば２０頭は放置農園群５０の固有番号ｊｍ０ｎの放置農園に、搬送車で移送する。２０頭の退競馬と不適馬は固有番号ｊｍ０ｎの放置農園で１年間放牧される。
【００４６】  放牧期間の間に、乗馬クラブ等や個人の小規模牧場から馬が欲しいという要請が退競馬保護センター４０に寄せられてくるので、適当な馬を選んで当該乗馬クラブに譲渡できる。
固有番号ｊｍ０ｎの放置農園で１年間放牧される退競馬と不適馬は、次第に野性味を増し、あるいは肉牛と同様な家畜性に近づいて、屠殺に対する拒否反応を持たなくなる。
更に残留筋肉強化剤等を充分に体外に排出しているので、肉食材としても安全で美味の馬肉となる。
【００４７】放置農園で１年間放牧された退競馬と不適馬を肉食施設８０に送る退競馬保護センター４０の職員も、牛のような家畜を肉処分にするのだという納得感を抱くようになり、心理的な苦痛を和らげることになる。
【００４８】なお、放置農園群５０中の一の所有者：海次郎は、郵便で自己の農園データ５２の内容と農園謄本を、退競馬保護センター４０に書面で送くることもできる。
一般市民にとっても１年間放牧されて、家畜化した馬の馬肉が市場に出回っているという安心感が持てる社会認識が確立できる。
【００４９】  退競馬保護センター４０では、退競馬と不適馬を受け入れてくれる放置農園を求め、その募集を常時行っているとともに、新聞・ＴＶ・ラジオを通じてその広告をしている。放置農園の所有者はこの広告宣伝を見て、自己の放置農園の活用を目指して、募集に応募する。
【符号の説明】
【００５０】  １０  競馬場
１１  馬データベース
２０  飼育牧場
２５  通信回線
３０  輸入商社
４０  退競馬保護センター
４１  時計
４２、５３  制御装置
４３  知的判断データ
４４  メモリＲＡＭ
４５  プログラム
５０  放置農園群
５１  放置農園データベース
５２  放置農園データ
６０  活用施設
７０  食肉調達施設
【図１】
2020087391.tif 000003
【図２】
2020087391.tif 000004
【図３】
2020087391.tif 000005
【図４】
2020087391.tif 000006
【図５】
2020087391.tif 000007
【図６】
2020087391.tif 000008